(57)【要約】【課題】光ピックアップユニットを本体部に接続した状態で再度キャリブレーションを行わなくてよいようにする。【解決手段】光ピックアップユニット２と調整治具２２とを接続してレーザー光パワーのキャリブレーションを行うとき、ＰＣ１３は、パワーメータ２１からレーザー光パワーを示す信号を受信すると共に、ＰＣ１３に組み込まれた制御プログラムにしたがって、レーザー光パワーが目標値となるようにＡＰＣ回路１４のＤＡＣ値及びＬＤ４のＤＡＣ値を調整し、調整された値を指示するデータをＥＥＰＲＯＭ７に格納する。ＰＣ１３はまた、ＡＤＣ１９，２０を介してＡＰＣ回路１４が出力した制御信号１５及びＩ−Ｖアンプ６が出力した電圧信号１６を受信するようになっており、レーザー光パワーが目標値となったときの電圧信号１６及び制御信号１５を受信し、これら各信号１５，１６の値を指示するデータをＥＥＰＲＯＭ７に格納する。【選択図】図１
2008097776.tif 000002
【特許請求の範囲】
【請求項１】
光ピックアップユニットに含まれる光源から出射されるレーザー光のパワーを調整する方法であって、
レーザー光を出射する光源、前記光源から出射されたレーザー光を、前記レーザー光のパワーに応じた電気信号に変換する光検出手段、及び、制御信号に基づいて前記光源を駆動する駆動信号を生成する駆動信号生成手段を有する光ピックアップユニットと、前記光検出手段から出力される前記電気信号及び第１基準値に基づいて前記制御信号を生成する調整制御信号生成手段を有する調整治具とを電気的に接続することによって、前記調整制御信号生成手段から、前記駆動信号生成手段、前記光源、前記光検出手段をこの順番に経て前記調整制御信号生成手段に戻る調整制御ループを形成する調整制御ループ形成工程と、
前記調整制御ループが形成された状態で前記光源から出射されるレーザー光のパワーが第１所定値であるときにおける、前記調整制御信号生成手段が生成した前記制御信号の値を指示するデータを記憶手段に格納する第１記憶工程と、
前記光ピックアップユニットと前記調整治具との電気的接続を絶った後に、前記光ピックアップユニットと、前記光検出手段から出力される前記電気信号及び第２基準値に基づいて前記制御信号を生成する本制御信号生成手段を有する本体部とを電気的に接続することによって、前記本制御信号生成手段から、前記駆動信号生成手段、前記光源、前記光検出手段をこの順番に経て前記本制御信号生成手段に戻る本制御ループを形成する本制御ループ形成工程と、
前記本制御ループが形成された状態における前記本制御信号生成手段が生成した前記制御信号の値が、前記第１記憶工程において前記記憶手段に格納されたデータが指示する前記調整制御信号生成手段が生成した前記制御信号の値と同じになるような前記第２基準値を探索する第１探索工程とを備えていることを特徴とする方法。
【請求項２】
前記駆動信号生成手段が、前記制御信号及び第３基準値に基づいて前記光源を駆動する駆動信号を生成するものであって、
前記第１記憶工程において、前記調整制御ループが形成された状態で前記光源から出射されるレーザー光のパワーが前記第１所定値であるときにおける、前記光検出手段から出力される前記電気信号の値を指示するデータ、及び、前記調整制御信号生成手段が生成した前記制御信号の値を指示するデータを前記記憶手段に格納し、
前記第１探索工程において、前記本制御ループが形成された状態における、前記光検出手段から出力される前記電気信号の値及び前記本制御信号生成手段が生成した前記制御信号の値が、それぞれ、前記第１記憶工程において前記記憶手段に格納されたデータが指示する、前記光検出手段から出力される前記電気信号の値、及び、前記調整制御信号生成手段が生成した前記制御信号の値と同じになるような前記第２基準値及び前記第３基準値を探索することを特徴とする請求項１に記載の方法。
【請求項３】
前記記憶手段が前記光ピックアップユニット内に設けられていることを特徴とする請求項１又は２に記載の方法。
【請求項４】
前記調整制御ループが形成された状態で前記光源から出射されるレーザー光のパワーが前記第１所定値とは異なる第２所定値であるときにおける、前記調整制御信号生成手段が生成した前記制御信号の値を指示するデータを前記記憶手段に格納する第２記憶工程と、
前記本制御ループが形成された状態における前記本制御信号生成手段が生成した前記制御信号の値が、前記第２記憶工程において前記記憶手段に格納されたデータが指示する、前記調整制御信号生成手段が生成した前記制御信号の値と同じになるような前記第２基準値を探索する第２探索工程とをさらに備えていることを特徴とする請求項１〜３のいずれか１項に記載の方法。
【請求項５】
前記第１所定値は、前記光源から出射されたレーザー光が照射される光ディスクからのデータの読み出し動作時のレーザー光のパワーに相当するものであり、前記第２所定値は、前記光ディスクに対するデータの書き込み／消去動作時のレーザー光のパワーに相当するものであることを特徴とする請求項４に記載の方法。
【請求項６】
互いに異なる複数の前記第１所定値のそれぞれについて、前記第１記憶工程及び前記第１探索工程を行い、
互いに異なる複数の前記第２所定値のそれぞれについて、前記第２記憶工程及び前記第２探索工程を行うことを特徴とする請求項５に記載の方法。
【請求項７】
光ピックアップユニット及び前記光ピックアップユニットと電気的に接続された本体部を備えた光学式記録再生装置であって、
前記光ピックアップユニットが、
レーザー光を出射する光源と、
前記光源から出射されたレーザー光を、前記レーザー光のパワーに応じた電気信号に変換する光検出手段と、
制御信号に基づいて前記光源を駆動する駆動信号を生成する駆動信号生成手段と、
記憶手段とを備えており、
前記記憶手段には、前記光ピックアップユニットと、前記光検出手段から出力される前記電気信号及び第１基準値に基づいて前記制御信号を生成する調整制御信号生成手段を有する調整治具とが電気的に接続されることによって、前記調整制御信号生成手段から、前記駆動信号生成手段、前記光源、前記光検出手段をこの順番に経て前記調整制御信号生成手段に戻る調整制御ループが形成された状態で、前記光源から出射されるレーザー光のパワーが第１所定値であるときにおける、前記調整制御信号生成手段が生成した前記制御信号の値を指示するデータが格納されており、
前記本体部が、
前記光検出手段から出力される前記電気信号及び第２基準値に基づいて前記制御信号を生成する本制御信号生成手段と、
探索手段とを備えており、
前記光学式記録再生装置においては、前記本制御信号生成手段から、前記駆動信号生成手段、前記光源、前記光検出手段をこの順番に経て前記本制御信号生成手段に戻る本制御ループが形成されており、
前記探索手段は、前記本制御ループが形成された状態における前記本制御信号生成手段が生成した前記制御信号の値が、前記第１所定値に関連して前記記憶手段に格納されたデータが指示する前記調整制御信号生成手段が生成した前記制御信号の値と同じになるような前記第２基準値を探索することを特徴とする光学式記録再生装置。
【請求項８】
前記駆動信号生成手段が、前記制御信号及び第３基準値に基づいて前記光源を駆動する駆動信号を生成するものであって、
前記記憶手段には、前記調整制御ループが形成された状態で前記光源から出射されるレーザー光のパワーが前記第１所定値であるときにおける、前記光検出手段から出力される前記電気信号の値を指示するデータ、及び、前記調整制御信号生成手段が生成した前記制御信号の値を指示するデータが格納されており、
前記探索手段は、前記本制御ループが形成された状態における、前記光検出手段から出力される前記電気信号の値及び前記本制御信号生成手段が生成した前記制御信号の値が、それぞれ、前記第１所定値に関連して前記記憶手段に格納されたデータが指示する、前記光検出手段から出力される前記電気信号の値、及び、前記調整制御信号生成手段が生成した前記制御信号の値と同じになるような前記第２基準値及び前記第３基準値を探索することを特徴とする請求項７に記載の光学式記録再生装置。
【請求項９】
前記記憶手段には、前記調整制御ループが形成された状態で前記光源から出射されるレーザー光のパワーが前記第１所定値とは異なる第２所定値であるときにおける、前記調整制御信号生成手段が生成した前記制御信号の値を指示するデータがさらに格納されており、
前記探索手段は、前記本制御ループが形成された状態における前記本制御信号生成手段が生成した前記制御信号の値が、前記第２所定値に関連して前記記憶手段に格納されたデータが指示する、前記調整制御信号生成手段が生成した前記制御信号の値と同じになるような前記第２基準値をさらに探索することを特徴とする請求項７又は８に記載の光学式記録再生装置。
【請求項１０】
前記第１所定値は、前記光源から出射されたレーザー光が照射される光ディスクからのデータの読み出し動作時のレーザー光のパワーに相当するものであり、前記第２所定値は、前記光ディスクに対するデータの書き込み／消去動作時のレーザー光のパワーに相当するものであることを特徴とする請求項９に記載の光学式記録再生装置。
【請求項１１】
前記記憶手段には、前記調整制御ループが形成された状態で前記光源から出射されるレーザー光のパワーが、互いに異なる複数の前記第１所定値及び複数の前記第２所定値のそれぞれであるときにおける、前記調整制御信号生成手段が生成した前記制御信号の値を指示するデータが格納されており、
前記探索手段は、前記本制御ループが形成された状態における前記本制御信号生成手段が生成した前記制御信号の値が、互いに異なる複数の前記第１所定値及び複数の前記第２所定値のそれぞれに関連して前記記憶手段に格納されたデータが指示する、前記調整制御信号生成手段が生成した前記制御信号の値と同じになるような前記第２基準値を探索することを特徴とする請求項１０に記載の光学式記録再生装置。
【請求項１２】
本体部と電気的に接続されることによって光学式記録再生装置を構成する光ピックアップユニットであって、
レーザー光を出射する光源と、
前記光源から出射されたレーザー光を、前記レーザー光のパワーに応じた電気信号に変換する光検出手段と、
制御信号に基づいて前記光源を駆動する駆動信号を生成する駆動信号生成手段と、
記憶手段とを備えており、
前記記憶手段には、前記光ピックアップユニットと、前記光検出手段から出力される前記電気信号及び第１基準値に基づいて前記制御信号を生成する調整制御信号生成手段を有する調整治具とが電気的に接続されることによって、前記調整制御信号生成手段から、前記駆動信号生成手段、前記光源、前記光検出手段をこの順番に経て前記調整制御信号生成手段に戻る調整制御ループが形成された状態で、前記光源から出射されるレーザー光のパワーが第１所定値であるときにおける、前記調整制御信号生成手段が生成した前記制御信号の値を指示するデータが格納されていることを特徴とする光ピックアップユニット。
【請求項１３】
レーザー光を出射する光源、前記光源から出射されたレーザー光を、前記レーザー光のパワーに応じた電気信号に変換する光検出手段、制御信号に基づいて前記光源を駆動する駆動信号を生成する駆動信号生成手段、及び記憶手段を有する光ピックアップユニットと電気的に接続されることによって光学式記録再生装置を構成する本体部であって、
前記記憶手段には、前記光ピックアップユニットと、前記光検出手段から出力される前記電気信号及び第１基準値に基づいて前記制御信号を生成する調整制御信号生成手段を有する調整治具とが電気的に接続されることによって、前記調整制御信号生成手段から、前記駆動信号生成手段、前記光源、前記光検出手段をこの順番に経て前記調整制御信号生成手段に戻る調整制御ループが形成された状態で、前記光源から出射されるレーザー光のパワーが第１所定値であるときにおける、前記調整制御信号生成手段が生成した前記制御信号の値を指示するデータが格納されており、
前記本体部が、
前記光検出手段から出力される前記電気信号及び第２基準値に基づいて前記制御信号を生成する本制御信号生成手段と、
探索手段とを備え、
前記光ピックアップユニットと電気的に接続されることによって、前記本制御信号生成手段から、前記駆動信号生成手段、前記光源、前記光検出手段をこの順番に経て前記本制御信号生成手段に戻る本制御ループを形成し、
前記探索手段は、前記本制御ループが形成された状態における前記本制御信号生成手段が生成した前記制御信号の値が、前記第１所定値に関連して前記記憶手段に格納されたデータが指示する前記調整制御信号生成手段が生成した前記制御信号の値と同じになるような前記第２基準値を探索することを特徴とする本体部。
【請求項１４】
レーザー光を出射する光源、前記光源から出射されたレーザー光を、前記レーザー光のパワーに応じた電気信号に変換する光検出手段、制御信号に基づいて前記光源を駆動する駆動信号を生成する駆動信号生成手段、及び記憶手段を有する光ピックアップユニットと電気的に接続される調整治具であって、
前記光検出手段から出力される前記電気信号及び第１基準値に基づいて前記制御信号を生成する調整制御信号生成手段と、
前記光ピックアップユニットと電気的に接続されることによって前記調整制御信号生成手段から前記駆動信号生成手段、前記光源、前記光検出手段をこの順番に経て前記調整制御信号生成手段に戻る調整制御ループが形成された状態で、前記光源から出射されるレーザー光のパワーが第１所定値であるときにおける、前記調整制御信号生成手段が生成した前記制御信号の値を指示するデータを、前記記憶手段に格納する格納手段とを備えていることを特徴とする調整治具。
【発明の詳細な説明】
【技術分野】
【０００１】
本発明は、光学的手段によって光ディスクにデータを記録する及び／又は光ディスクに記録されているデータを再生する光ピックアップユニットの光源から出射されるレーザー光のパワーを調整する方法、光ピックアップユニット及び光ピックアップユニットと電気的に接続された本体部を含む光学式記録再生装置、光ピックアップユニット、光ピックアップユニットと電気的に接続されることによって光学式記録再生装置を形成する本体部、及び、光ピックアップユニットと電気的に接続される調整治具に関する。
【背景技術】
【０００２】
ＣＤ、ＤＶＤ等の光ディスクにデータを記録する及び／又は光ディスクに記録されているデータを再生する光ピックアップユニットは、レーザーダイオード等、レーザー光を出射する光源を含む。光源から出射されるレーザー光のパワーの最適値は、出射後のレーザー光の損失量、光ディスクの反射率、環境温度等によって異なり、安定した記録及び／又は再生を行うためにはレーザー光のパワーが常に最適値に保たれるよう制御する必要がある。
【０００３】
そこで、光源から出射されたレーザー光をフロントモニタ等で検出し、検出されたデータをＡＰＣ（Automatic Power Control)回路にフィードバックして、レーザー光のパワーが最適値となるよう光源への供給電流を制御することが行われている（特許文献１参照）。光ピックアップユニットは、製造工程の最終段階においてパワーメータ及び上述のようなＡＰＣ回路を搭載した調整治具を用いてレーザー光パワーのキャリブレーションを行った後、本体部と機械的且つ電気的に接続されて光学式記録再生装置を形成する。本体部も調整治具と同様にＡＰＣ回路を搭載している。
【特許文献１】特開２０００−２６１０９１号公報
【発明の開示】
【発明が解決しようとする課題】
【０００４】
光ピックアップユニットには、最終工程時の調整において得られるＡＰＣ回路のＤＡＣ値等のデータを記憶するメモリが設けられていない。仮にこのようなメモリが光ピックアップユニットに設けられたとしても、上記データ自体が調整治具のＡＰＣ回路固有のものであって本体部のＡＰＣ回路の特性（例えばバッファのゲインやオフセット等）との誤差が考慮されていないので、光ピックアップユニットを本体部に接続した状態では上記データを利用することができない。そのため、上述のように光ピックアップユニットの最終工程時にパワーメータ及び調整治具を用いてキャリブレーションを行った後、光ピックアップユニットを本体部に接続した状態でパワーメータ及び本体部に搭載されているＡＰＣ回路を用いて再度キャリブレーションを行う必要がある。つまり、２度も煩雑な作業を行わなくてはならず、手間や時間がかかってしまう。
【０００５】
本発明の目的は、光ピックアップユニットを本体部に接続した状態で再度キャリブレーションを行わなくてよい、レーザー光調整方法、光学式記録再生装置、光ピックアップユニット、本体部、及び、調整治具を提供することである。
【課題を解決するための手段】
【０００６】
上記目的を達成するため、本発明に係るレーザー光調整方法の特徴は、光ピックアップユニットに含まれる光源から出射されるレーザー光のパワーを調整する方法であって、レーザー光を出射する光源、前記光源から出射されたレーザー光を、前記レーザー光のパワーに応じた電気信号に変換する光検出手段、及び、制御信号に基づいて前記光源を駆動する駆動信号を生成する駆動信号生成手段を有する光ピックアップユニットと、前記光検出手段から出力される前記電気信号及び第１基準値に基づいて前記制御信号を生成する調整制御信号生成手段を有する調整治具とを電気的に接続することによって、前記調整制御信号生成手段から、前記駆動信号生成手段、前記光源、前記光検出手段をこの順番に経て前記調整制御信号生成手段に戻る調整制御ループを形成する調整制御ループ形成工程と、前記調整制御ループが形成された状態で前記光源から出射されるレーザー光のパワーが第１所定値であるときにおける、前記調整制御信号生成手段が生成した前記制御信号の値を指示するデータを記憶手段に格納する第１記憶工程と、前記光ピックアップユニットと前記調整治具との電気的接続を絶った後に、前記光ピックアップユニットと、前記光検出手段から出力される前記電気信号及び第２基準値に基づいて前記制御信号を生成する本制御信号生成手段を有する本体部とを電気的に接続することによって、前記本制御信号生成手段から、前記駆動信号生成手段、前記光源、前記光検出手段をこの順番に経て前記本制御信号生成手段に戻る本制御ループを形成する本制御ループ形成工程と、前記本制御ループが形成された状態における前記本制御信号生成手段が生成した前記制御信号の値が、前記第１記憶工程において前記記憶手段に格納されたデータが指示する前記調整制御信号生成手段が生成した前記制御信号の値と同じになるような前記第２基準値を探索する第１探索工程とを備えていることである。
【０００７】
本発明に係る光学式記録再生装置の特徴は、光ピックアップユニット及び前記光ピックアップユニットと電気的に接続された本体部を備えた光学式記録再生装置であって、前記光ピックアップユニットが、レーザー光を出射する光源と、前記光源から出射されたレーザー光を、前記レーザー光のパワーに応じた電気信号に変換する光検出手段と、制御信号に基づいて前記光源を駆動する駆動信号を生成する駆動信号生成手段と、記憶手段とを備えており、前記記憶手段には、前記光ピックアップユニットと、前記光検出手段から出力される前記電気信号及び第１基準値に基づいて前記制御信号を生成する調整制御信号生成手段を有する調整治具とが電気的に接続されることによって、前記調整制御信号生成手段から、前記駆動信号生成手段、前記光源、前記光検出手段をこの順番に経て前記調整制御信号生成手段に戻る調整制御ループが形成された状態で、前記光源から出射されるレーザー光のパワーが第１所定値であるときにおける、前記調整制御信号生成手段が生成した前記制御信号の値を指示するデータが格納されており、前記本体部が、前記光検出手段から出力される前記電気信号及び第２基準値に基づいて前記制御信号を生成する本制御信号生成手段と、探索手段とを備えており、前記光学式記録再生装置においては、前記本制御信号生成手段から、前記駆動信号生成手段、前記光源、前記光検出手段をこの順番に経て前記本制御信号生成手段に戻る本制御ループが形成されており、前記探索手段は、前記本制御ループが形成された状態における前記本制御信号生成手段が生成した前記制御信号の値が、前記第１所定値に関連して前記記憶手段に格納されたデータが指示する前記調整制御信号生成手段が生成した前記制御信号の値と同じになるような前記第２基準値を探索することである。
【０００８】
本発明に係る光ピックアップユニットの特徴は、本体部と電気的に接続されることによって光学式記録再生装置を構成する光ピックアップユニットであって、レーザー光を出射する光源と、前記光源から出射されたレーザー光を、前記レーザー光のパワーに応じた電気信号に変換する光検出手段と、制御信号に基づいて前記光源を駆動する駆動信号を生成する駆動信号生成手段と、記憶手段とを備えており、前記記憶手段には、前記光ピックアップユニットと、前記光検出手段から出力される前記電気信号及び第１基準値に基づいて前記制御信号を生成する調整制御信号生成手段を有する調整治具とが電気的に接続されることによって、前記調整制御信号生成手段から、前記駆動信号生成手段、前記光源、前記光検出手段をこの順番に経て前記調整制御信号生成手段に戻る調整制御ループが形成された状態で、前記光源から出射されるレーザー光のパワーが第１所定値であるときにおける、前記調整制御信号生成手段が生成した前記制御信号の値を指示するデータが格納されていることである。
【０００９】
本発明に係る本体部の特徴は、レーザー光を出射する光源、前記光源から出射されたレーザー光を、前記レーザー光のパワーに応じた電気信号に変換する光検出手段、制御信号に基づいて前記光源を駆動する駆動信号を生成する駆動信号生成手段、及び記憶手段を有する光ピックアップユニットと電気的に接続されることによって光学式記録再生装置を構成する本体部であって、前記記憶手段には、前記光ピックアップユニットと、前記光検出手段から出力される前記電気信号及び第１基準値に基づいて前記制御信号を生成する調整制御信号生成手段を有する調整治具とが電気的に接続されることによって、前記調整制御信号生成手段から、前記駆動信号生成手段、前記光源、前記光検出手段をこの順番に経て前記調整制御信号生成手段に戻る調整制御ループが形成された状態で、前記光源から出射されるレーザー光のパワーが第１所定値であるときにおける、前記調整制御信号生成手段が生成した前記制御信号の値を指示するデータが格納されており、前記本体部が、前記光検出手段から出力される前記電気信号及び第２基準値に基づいて前記制御信号を生成する本制御信号生成手段と、探索手段とを備え、前記光ピックアップユニットと電気的に接続されることによって、前記本制御信号生成手段から、前記駆動信号生成手段、前記光源、前記光検出手段をこの順番に経て前記本制御信号生成手段に戻る本制御ループを形成し、前記探索手段は、前記本制御ループが形成された状態における前記本制御信号生成手段が生成した前記制御信号の値が、前記第１所定値に関連して前記記憶手段に格納されたデータが指示する前記調整制御信号生成手段が生成した前記制御信号の値と同じになるような前記第２基準値を探索することである。
【００１０】
本発明に係る調整治具の特徴は、レーザー光を出射する光源、前記光源から出射されたレーザー光を、前記レーザー光のパワーに応じた電気信号に変換する光検出手段、制御信号に基づいて前記光源を駆動する駆動信号を生成する駆動信号生成手段、及び記憶手段を有する光ピックアップユニットと電気的に接続される調整治具であって、前記光検出手段から出力される前記電気信号及び第１基準値に基づいて前記制御信号を生成する調整制御信号生成手段と、前記光ピックアップユニットと電気的に接続されることによって前記調整制御信号生成手段から前記駆動信号生成手段、前記光源、前記光検出手段をこの順番に経て前記調整制御信号生成手段に戻る調整制御ループが形成された状態で、前記光源から出射されるレーザー光のパワーが第１所定値であるときにおける、前記調整制御信号生成手段が生成した前記制御信号の値を指示するデータを、前記記憶手段に格納する格納手段とを備えていることである。
【００１１】
上記構成においては、先ず光ピックアップユニットと調整治具とを電気的に接続し、光ピックアップユニットの光源から出射されるレーザー光のパワーが第１所定値であるときの、制御信号の値を指示するデータを記憶手段に格納しておく。そして、光ピックアップユニットと調整治具との電気的接続を絶った後、光ピックアップユニットと本体部とを電気的に接続し、本体部の本制御信号生成手段が生成する制御信号の値が、記憶手段に格納されたデータが指示する制御信号の値と同じになるような、本制御信号生成手段に用いられる第２基準値を探索する。このように、本体部接続時の制御信号の値を調整治具接続時の制御信号の値と同じにすることで、調整治具と本体部との間の個体差を考慮した調整がなされ、光ピックアップユニットを本体部に接続した状態で再度キャリブレーションを行わなくとも、調整治具を用いて調整した際に設定した所定のレーザー光のパワーを得ることができる。
【００１２】
本発明に係るレーザー光調整方法において、前記駆動信号生成手段が、前記制御信号及び第３基準値に基づいて前記光源を駆動する駆動信号を生成するものであって、前記第１記憶工程において、前記調整制御ループが形成された状態で前記光源から出射されるレーザー光のパワーが前記第１所定値であるときにおける、前記光検出手段から出力される前記電気信号の値を指示するデータ、及び、前記調整制御信号生成手段が生成した前記制御信号の値を指示するデータを前記記憶手段に格納し、前記第１探索工程において、前記本制御ループが形成された状態における、前記光検出手段から出力される前記電気信号の値及び前記本制御信号生成手段が生成した前記制御信号の値が、それぞれ、前記第１記憶工程において前記記憶手段に格納されたデータが指示する、前記光検出手段から出力される前記電気信号の値、及び、前記調整制御信号生成手段が生成した前記制御信号の値と同じになるような前記第２基準値及び前記第３基準値を探索することが好ましい。
【００１３】
また、本発明に係る光学式記録再生装置において、前記駆動信号生成手段が、前記制御信号及び第３基準値に基づいて前記光源を駆動する駆動信号を生成するものであって、前記記憶手段には、前記調整制御ループが形成された状態で前記光源から出射されるレーザー光のパワーが前記第１所定値であるときにおける、前記光検出手段から出力される前記電気信号の値を指示するデータ、及び、前記調整制御信号生成手段が生成した前記制御信号の値を指示するデータが格納されており、前記探索手段は、前記本制御ループが形成された状態における、前記光検出手段から出力される前記電気信号の値及び前記本制御信号生成手段が生成した前記制御信号の値が、それぞれ、前記第１所定値に関連して前記記憶手段に格納されたデータが指示する、前記光検出手段から出力される前記電気信号の値、及び、前記調整制御信号生成手段が生成した前記制御信号の値と同じになるような前記第２基準値及び前記第３基準値を探索することが好ましい。
【００１４】
上記構成では、光ピックアップユニットと調整治具とを電気的に接続したとき、制御信号の値を指示するデータのみではなく、光検出手段から出力される電気信号の値を指示するデータも、記憶手段に記憶しておく。そして、光ピックアップユニットと調整治具との電気的接続を絶った後、光ピックアップユニットと本体部とを電気的に接続したときに、制御信号の値と電気信号の値とがそれぞれ記憶手段に記憶されたデータが指示する値と同じになるような第２基準値及び第３基準値を探索する。このように、光検出手段から出力される電気信号の値についても調整治具接続時と同じになるよう設定することで、調整治具と本体部との間の個体差を考慮した調整をより正確に行うことができる。
【００１５】
本発明に係るレーザー光調整方法では、前記記憶手段が前記光ピックアップユニット内に設けられていることが好ましい。この場合、記憶手段が光ピックアップユニット以外の部材内に設けられている場合に比べ、第１記憶工程や第１探索工程をより容易に且つ迅速に行うことが可能となる。
【００１６】
本発明に係るレーザー光調整方法は、前記調整制御ループが形成された状態で前記光源から出射されるレーザー光のパワーが前記第１所定値とは異なる第２所定値であるときにおける、前記調整制御信号生成手段が生成した前記制御信号の値を指示するデータを前記記憶手段に格納する第２記憶工程と、前記本制御ループが形成された状態における前記本制御信号生成手段が生成した前記制御信号の値が、前記第２記憶工程において前記記憶手段に格納されたデータが指示する、前記調整制御信号生成手段が生成した前記制御信号の値と同じになるような前記第２基準値を探索する第２探索工程とをさらに備えていることが好ましい。
【００１７】
また、本発明に係る光学式記録再生装置において、前記記憶手段には、前記調整制御ループが形成された状態で前記光源から出射されるレーザー光のパワーが前記第１所定値とは異なる第２所定値であるときにおける、前記調整制御信号生成手段が生成した前記制御信号の値を指示するデータがさらに格納されており、前記探索手段は、前記本制御ループが形成された状態における前記本制御信号生成手段が生成した前記制御信号の値が、前記第２所定値に関連して前記記憶手段に格納されたデータが指示する、前記調整制御信号生成手段が生成した前記制御信号の値と同じになるような前記第２基準値をさらに探索することが好ましい。
【００１８】
上記構成では、第１及び第２所定値という異なるレーザー光パワーについて調整を行うことにより、光ディスクの種類や環境温度の変化等に応じてレーザー光パワーを適宜設定することができる。
【００１９】
本発明に係るレーザー光調整方法において、前記第１所定値は、前記光源から出射されたレーザー光が照射される光ディスクからのデータの読み出し動作時のレーザー光のパワーに相当するものであり、前記第２所定値は、前記光ディスクに対するデータの書き込み／消去動作時のレーザー光のパワーに相当するものであってよい。
【００２０】
また、本発明に係る光学式記録再生装置において、前記第１所定値は、前記光源から出射されたレーザー光が照射される光ディスクからのデータの読み出し動作時のレーザー光のパワーに相当するものであり、前記第２所定値は、前記光ディスクに対するデータの書き込み／消去動作時のレーザー光のパワーに相当するものであってよい。
【００２１】
上記構成では、データ読み出し時（再生時）とデータ書き込み／消去動作時（記録時）とのそれぞれにおいて適切なレーザー光パワーを設定することができる。
【００２２】
本発明に係るレーザー光調整方法において、互いに異なる複数の前記第１所定値のそれぞれについて、前記第１記憶工程及び前記第１探索工程を行い、互いに異なる複数の前記第２所定値のそれぞれについて、前記第２記憶工程及び前記第２探索工程を行うことが好ましい。
【００２３】
また、本発明に係る光学式記録再生装置において、前記記憶手段には、前記調整制御ループが形成された状態で前記光源から出射されるレーザー光のパワーが、互いに異なる複数の前記第１所定値及び複数の前記第２所定値のそれぞれであるときにおける、前記調整制御信号生成手段が生成した前記制御信号の値を指示するデータが格納されており、前記探索手段は、前記本制御ループが形成された状態における前記本制御信号生成手段が生成した前記制御信号の値が、互いに異なる複数の前記第１所定値及び複数の前記第２所定値のそれぞれに関連して前記記憶手段に格納されたデータが指示する、前記調整制御信号生成手段が生成した前記制御信号の値と同じになるような前記第２基準値を探索することが好ましい。
【００２４】
上記構成では、データ読み出し時（再生時）とデータ書き込み／消去動作時（記録時）とのそれぞれにおいて、光ディスクの種類や環境温度の変化等に応じてレーザー光パワーを適宜設定することができる。
【発明を実施するための最良の形態】
【００２５】
以下、本発明の好適な実施の形態について、図面を参照しつつ説明する。
【００２６】
先ず、図１を参照しつつ、本発明の一実施形態に係る光ピックアップユニット及び調整治具について説明する。本実施形態に係る光ピックアップユニット２は、レーザーダイオード等の光源３、光源３から出射されたレーザー光を受光して当該レーザー光のパワーに応じた電流信号を出力するフロントモニタフォトディテクタ（以下、ＰＤと記す）５、ＰＤ５が出力した電流信号を電圧信号１６に変換するＩ−Ｖアンプ６、後述のＡＰＣ回路１４から出力された制御信号１５と自身のＤＡＣ値とに基づいて光源３を駆動する駆動信号を生成するレーザードライバ（以下、ＬＤと記す）４、及び、ＥＥＰＲＯＭ（Electronically Erasable and Programmable Read Only Memory）７を含む。パワーメータ２１は、光源３から出射されたレーザー光のパワーを測定するものであって、光ピックアップユニット２に着脱可能に取り付けられている。
【００２７】
本実施形態に係る調整治具２２は、ＡＰＣ回路１４、パーソナルコンピュータ（以下、ＰＣと記す）１３、及び、アナログデジタル変換器（以下、ＡＤＣと記す）１９，２０を含む。ＡＰＣ回路１４は、Ｉ−Ｖアンプ６が出力した電圧信号１６を受信すると共に、当該電圧信号１６と自身のＤＡＣ値とに基づいて制御信号１５を生成し、これをＬＤ４に出力する。
【００２８】
図１に示すように光ピックアップユニット２と調整治具２２とを電気的に接続することによって、ＡＰＣ回路１４から、ＬＤ４、光源３、ＰＤ５、及びＩ−Ｖアンプ６をこの順番に経てＡＰＣ回路１４に戻る調整制御ループが形成されている。光源３から出射されるレーザー光のパワーは、ＡＰＣ回路１４のＤＡＣ値、ＡＰＣ回路１４から出力される制御信号１５、及び、ＬＤ４のＤＡＣ値に応じて変化する。
【００２９】
上記調整制御ループが形成されている状態において、ＰＣ１３は、パワーメータ２１からレーザー光パワーを示す信号を受信すると共に、ＰＣ１３に組み込まれた制御プログラムにしたがって、レーザー光パワーが目標値となるようにＡＰＣ回路１４のＤＡＣ値及びＬＤ４のＤＡＣ値を調整し、調整された値を指示するデータをＥＥＰＲＯＭ７に格納する。ＰＣ１３はまた、ＡＤＣ１９，２０を介してＡＰＣ回路１４が出力した制御信号１５及びＩ−Ｖアンプ６が出力した電圧信号１６を受信するようになっており、レーザー光パワーが目標値となったときの電圧信号１６及び制御信号１５を受信し、これら各信号１５，１６の値を指示するデータをＥＥＰＲＯＭ７に格納する。つまり、光ピックアップユニット２と調整治具２２とを接続してレーザー光パワーのキャリブレーションを行った際、ＥＥＰＲＯＭ７には、レーザー光パワーが目標値となるときの、ＡＰＣ回路１４のＤＡＣ値、ＬＤ４のＤＡＣ値、及び、各信号１５，１６の値を指示するデータが格納される。
【００３０】
なお、光源３から出射されるレーザー光のパワーは、制御信号１５の値及び電圧信号１６の値のそれぞれと比例関係にあることが知られているが、比例係数については各構成要素の個体差等により変化するため、予め知ることができない。そこで、パワーメータ２１によってレーザー光のパワーを測定しつつ制御信号１５及び電圧信号１６の値をモニターすることで、上記比例係数を知ることができ、即ち、レーザー光のパワーと制御信号１５の値との相関関係、及び、レーザー光のパワーと電圧信号１６の値との相関関係を知ることができる。
【００３１】
図２は、図１の詳細図であり、ＬＤ４及びＡＰＣ回路１４の内部構成が詳細に示されている。ＡＰＣ回路１４内に示されているＷＲＤＡ及びＲＥＤＡはＤＡＣ用のレジスタであり、再生時にはＲＥＤＡ、記録時にはＷＲＤＡがそれぞれＤＡＣと接続される。このような再生時と記録時とにおける接続の切り換えは、ＰＣ１３からの制御信号ＲＷＢに基づいて行われる。
【００３２】
次いで、図３を参照しつつ、光ピックアップユニット２と調整治具２２とを電気的に接続してレーザー光パワーのキャリブレーションを行う際の工程について説明する。当該キャリブレーションでは、パワーメータ２１によって測定されたレーザー光パワーを元に、各ＤＡＣ値の調整やその値を指示するデータの格納、制御信号１５や電圧信号１６の値を指示するデータの格納等が行われる。
【００３３】
先ず、再生時におけるレーザー光パワーの調整を行うため、ＰＣ１３から出力される制御信号ＲＷＢを“Ｈ”とし（Ｓ１）、その後ＬＤ４の各ＤＡＣ値を初期値に設定する（Ｓ２）。具体的には、Ｐｗ−ＤＡＣ、Ｐｅ−ＤＡＣ、Ｐｂ−ＤＡＣ、及びＯＳＣ−ＤＡＣの値を“０”とし、Ｒｅａｄ−ＤＡＣの値を“４０ｈ（hexadecimal：１６進形式）”とする。
【００３４】
その後、レーザー光パワーが０．７ｍＷとなるようにＡＰＣ回路１４のＲＥＤＡの値を調整し、調整されたＲＥＤＡの値を指示するデータをＥＥＰＲＯＭ７に格納する（Ｓ３）。レーザー光パワーが０．３５ｍＷ及び０．１ｍＷとなる場合についても同様にＡＰＣ回路１４のＲＥＤＡの値を調整し、調整されたＲＥＤＡの値を指示するデータをＥＥＰＲＯＭ７に格納する（Ｓ４及びＳ５）。このように異なるレーザー光パワーにおけるＲＥＤＡの値を得ることで、レーザー光パワーとＲＥＤＡの値との相関関係を知ることができ、当該相関関係に基づいてＲＥＤＡの値を設定することで任意のレーザー光パワーを出力することが可能となる。
【００３５】
次に、記録時におけるレーザー光パワーの調整を行うため、ＰＣ１３から出力される制御信号ＲＷＢを“Ｌ”に切り換える（Ｓ６）。その後、レーザー光パワーが０．３５ｍＷとなるようにＡＰＣ回路１４のＷＲＤＡの値を調整すると共に、再生モードから記録モードへの切り換え時にＡＰＣ回路１４から出力される制御信号１５が変動しないようＰｅ−ＤＡＣの値を調整し、調整されたＰｅ−ＤＡＣの値を指示するデータをＥＥＰＲＯＭ７に格納する（Ｓ７）。レーザー光パワーが０．１ｍＷとなる場合についても同様に、ＡＰＣ回路１４のＷＲＤＡの値を調整すると共に、再生モードから記録モードへの切り換え時にＡＰＣ回路１４から出力される制御信号１５が変動しないようＰｅ−ＤＡＣの値を調整し、調整されたＰｅ−ＤＡＣの値を指示するデータをＥＥＰＲＯＭ７に格納する（Ｓ８）。なお、レーザー光パワーが０．３５ｍＷ及び０．１ｍＷの場合については、ＲＥＤＡの値＝ＷＲＤＡの値という関係から、Ｓ４及びＳ５において得られたＲＥＤＡの値をＷＲＤＡの値として用いることができる。
【００３６】
さらに、レーザー光パワーが２ｍＷとなるようにＡＰＣ回路１４のＷＲＤＡの値を調整し、調整されたＷＲＤＡの値を指示するデータをＥＥＰＲＯＭ７に格納すると共に、再生モードから記録モードへの切り換え時にＡＰＣ回路１４から出力される制御信号１５が変動しないように、Ｐｅ−ＤＡＣの値を調整し、調整されたＰｅ−ＤＡＣの値を指示するデータをＥＥＰＲＯＭ７に格納する（Ｓ９）。続いて、レーザー光パワーが４ｍＷとなる場合についても同様に、ＡＰＣ回路１４のＷＲＤＡの値を調整し、調整されたＷＲＤＡの値を指示するデータをＥＥＰＲＯＭ７に格納すると共に、再生モードから記録モードへの切り換え時にＡＰＣ回路１４から出力される制御信号１５が変動しないように、Ｐｅ−ＤＡＣの値を調整し、調整されたＰｅ−ＤＡＣの値を指示するデータをＥＥＰＲＯＭ７に格納する（Ｓ１０）。
【００３７】
次に、Ｓ７〜Ｓ１０の各工程において得られたＰｅ−ＤＡＣの値を用い、記録媒体となる光ディスクの種類等による所定の計算式に基づいて、ＬＤ４のＰｗ−ＤＡＣ、Ｐｅ−ＤＡＣ、及びＰｂ−ＤＡＣの値を算出し、各ＤＡＣ値を算出された値に設定する（Ｓ１１）。
【００３８】
その後、記録時に実際に用いられるパルス波形をＬＤ４が光源３に出力することにより、当該パルス波形に応じたパワーを有するレーザー光を１秒間出射させ、このときの制御信号１５の値及び電圧信号値１６の値を指示するデータをＥＥＰＲＯＭ７に格納する（Ｓ１２）。記録時に実際に用いられるパルス波形は光ディスクの種類や環境温度の変化等に応じて数種類設定されており、各種類のパルス波形について、上記と同様の工程、即ちパルス波形に応じたパワーを有するレーザー光を１秒間出射させ、制御信号１５の値及び電圧信号値１６の値を指示するデータをＥＥＰＲＯＭ７に格納するという工程が行われる。
【００３９】
さらにその後、ＰＣ１３から出力される制御信号ＲＷＢを“Ｈ”に切り換えることによって記録モードから再生モードに切り換え、再生時に実際に用いられるパルス波形をＬＤ４が光源３に出力することにより、当該パルス波形に応じたパワーを有するレーザー光を１秒間出射させ、このときの制御信号１５の値及び電圧信号値１６の値を指示するデータをＥＥＰＲＯＭ７に格納する（Ｓ１３）。上述した記録時に実際に用いられるパルス波形と同様、再生時に実際に用いられるパルス波形も光ディスクの種類や環境温度の変化等に応じて数種類設定されており、各種類のパルス波形について、上記と同様の工程が行われる。
【００４０】
図４は、光源３に供給される電流と光源３から出射されるレーザー光パワーとの関係の一例を示すグラフである。ここで、光源３に供給される電流は制御信号１５の値に応じて変化する。また、このグラフはある光源３及びＬＤ４を有する光ピックアップユニット２固有のグラフであって、グラフ中の特性曲線１００の傾きや閾値等は光源３やＬＤ４の特性等に応じて異なってくる。
【００４１】
図４のグラフにおいて、特性曲線１００は、光源３への供給電流が略４３ｍＡの点を境に傾きが大きく変化している。これは、光源３への供給電流が略４３ｍＡ（閾値）以下のときはレーザー発振せず、レーザー光が出射されないことを意味する。
【００４２】
Ｒｅａｄ電流２００は、再生モードでのレーザー光パワーが０．５ｍＷとなるものであり、ＯＳＣ−ＤＡＣの値を振幅とした山型の波形で示される。再生モードでは、このようなＲｅａｄ電流２００を光源３に供給し、光ディスクからの反射光を検出する。Ｒｅａｄ電流２００は、閾値以上の値で、且つ、光ディスクに相変化を起こさせない程度の小さな値に設定されている。
【００４３】
Ｗｒｉｔｅ電流３００は、記録モードでのレーザー光パワーが３ｍＷとなるものである。図４に示すＷｒｉｔｅ電流３００の形状は一例であって、どのようなデータを書き込むかによって変化する。Ｗｒｉｔｅ電流３００は、閾値以上の値で、且つ、光ディスクに相変化を起こさせるような大きな値に設定されている。
【００４４】
次いで、図５を参照しつつ、図１の光ピックアップユニット２と調整治具２２との電気的接続を絶った後、光ピックアップユニット２と本発明の一実施形態に係る本体部１とを電気的に接続することによって、光学式記録再生装置５０を形成した状態について説明する。このとき光ピックアップユニット２のＥＥＰＲＯＭ７には、調整治具２２を用いてレーザー光パワーのキャリブレーションを行った際に格納された各種のデータが記憶されている。
【００４５】
本体部１は、調整治具２２のＡＰＣ回路１４と同様のＡＰＣ回路８、マイコン９、及び、マイコン９に内蔵されたＡＤＣ１７，１８を含む。ＡＰＣ回路８は、Ｉ−Ｖアンプ６が出力した電圧信号１０を受信すると共に、当該電圧信号１０と自身のＤＡＣ値とに基づいて制御信号１１を生成し、これをＬＤ４に出力する。図５に示すように光ピックアップユニット２と本体部１とを電気的に接続することによって、ＡＰＣ回路８から、ＬＤ４、光源３、ＰＤ５、及びＩ−Ｖアンプ６をこの順番に経てＡＰＣ回路８に戻る本制御ループが形成されている。
【００４６】
ここで、レーザー光パワーの調整を行うため、上記本制御ループが形成されている状態において、光源３からレーザー光を出射させる。レーザー光のパワーは、ＡＰＣ回路８のＤＡＣ値、ＡＰＣ回路８から出力される制御信号１１、及び、ＬＤ４のＤＡＣ値に応じて変化する。なお、このとき図１に示すパワーメータ２１は使用しない。
【００４７】
マイコン９は、ＡＤＣ１７，１８を介してＡＰＣ回路８が出力した制御信号１１及びＩ−Ｖアンプ６が出力した電圧信号１０を受信する。そして、制御信号１１及び電圧信号１０の値がそれぞれ、ＥＥＰＲＯＭ７に記憶されている各データが指示する値、即ち上述のＳ１２及びＳ１３のそれぞれにおいてレーザー光パワーを記録／再生や光ディスクの種類等の条件に応じた目標値としたときの制御信号１５及び電圧信号１６の値と同じになるような、ＡＰＣ回路８のＤＡＣ値及びＬＤ４のＤＡＣ値を探索する。
【００４８】
上記のようなＤＡＣ値の探索は、記録／再生や光ディスクの種類等の条件に応じてレーザー光パワーを様々な目標値に設定した場合のそれぞれについて行われる。探索された各ＤＡＣ値を指示するデータはＥＥＰＲＯＭ７に格納され、実際に光ディスクにデータを記録又は光ディスクに記録されたデータを再生する際に、その条件に適したレーザー光パワーに対応するデータがＥＥＰＲＯＭ７から読み出され、当該データに基づいてＬＤ４のＤＡＣ及びＡＰＣ回路８のＤＡＣ値が設定される。
【００４９】
以上に述べたように、本実施形態に係るレーザー光調整方法、光学式記録再生装置５０、光ピックアップユニット２、本体部１、及び調整治具２２によると、先ず光ピックアップユニット２と調整治具２２とを電気的に接続し、光ピックアップユニット２の光源３から出射されるレーザー光のパワーがある所定値であるときの、制御信号１５の値を指示するデータをＥＥＰＲＯＭ７に格納しておく。そして、光ピックアップユニット２と調整治具２２との電気的接続を絶った後、光ピックアップユニット２と本体部１とを電気的に接続し、本体部１のＡＰＣ回路８が生成する制御信号１１の値が、ＥＥＰＲＯＭ７に格納されたデータが指示する制御信号の値と同じになるような、ＡＰＣ回路８のＤＡＣ値を探索する。このように、本体部１接続時の制御信号１１の値を調整治具２２接続時の制御信号１５の値と同じにすることで、調整治具２２と本体部１との間の個体差を考慮した調整がなされ、光ピックアップユニット２を本体部１に接続した状態で再度パワーメータ２１を用いてキャリブレーションを行わなくとも、調整治具２２を用いて調整した際に設定した所定のレーザー光のパワーを得ることができる。
【００５０】
さらに本実施形態では、光ピックアップユニット２と調整治具２２とを電気的に接続したとき、制御信号１５の値を指示するデータのみではなく電圧信号１６の値を指示するデータをもＥＥＰＲＯＭ７に記憶しておき、光ピックアップユニット２と調整治具２２との電気的接続を絶った後、光ピックアップユニット２と本体部１とを電気的に接続したときに、制御信号１１の値と電気信号１０の値とがそれぞれＥＥＰＲＯＭ７に記憶されたデータが指示する値と同じになるようなＡＰＣ回路８のＤＡＣ値及びＬＤ４のＤＡＣ値を探索する。このように、Ｉ−Ｖアンプ６から出力される電圧信号１０の値についても調整治具２２接続時と同じになるよう設定することで、調整治具２２と本体部１との間の個体差を考慮した調整をより正確に行うことができる。
【００５１】
制御信号１５及び電圧信号１６の値を指示するデータを格納する記憶手段、即ちＥＥＰＲＯＭ７が、光ピックアップユニット２内に設けられている。この場合、記憶手段が光ピックアップユニット２以外の部材内に設けられている場合に比べ、上記データの格納やＤＡＣ値の探索工程をより容易に且つ迅速に行うことが可能となる。
【００５２】
一般にデータの書き込み／消去動作時（記録時）とデータの読み出し動作時（再生時）とでは適切なレーザー光パワーが異なることから、Ｓ１２及びＳ１３においてそれぞれ記録モード及び再生モードに適したレーザー光パワーを設定し、各場合に対応する制御信号１５及び電圧信号１６を格納している。また本実施形態では、さらに記録時及び再生時のそれぞれにおいても光ディスクの種類や環境温度の変化等の条件に応じて適切なレーザー光パワーを設定し、各場合に対応する制御信号１５及び電圧信号１６を格納している。そしてキャリブレーションを終了し、本体部１を光ピックアップユニット２に接続したときに、上記各場合についてＤＡＣ値の探索を行っている。これにより、記録時であるか再生時であるか、光ディスクの種類、環境温度の変化、等の条件に応じたレーザー光パワーを得ることができる。
【００５３】
以上、本発明の好適な実施の形態について説明したが、本発明は上述の実施形態に限られるものではなく、特許請求の範囲に記載した限りにおいて様々な設計変更が可能なものである。
【００５４】
例えば、上述の実施形態ではキャリブレーションを行うときに制御信号１５の値を指示するデータのみではなく電圧信号１６の値を指示するデータをもＥＥＰＲＯＭ７に記憶しているが、電圧信号１６の値を指示するデータはＥＥＰＲＯＭ７に記憶しなくてよい。制御信号１５の値を指示するデータをＥＥＰＲＯＭ７に記憶しておき、光ピックアップユニット２と本体部１とを電気的に接続したときに、制御信号１１の値がＥＥＰＲＯＭ７に記憶されたデータが指示する値と同じになるようにＡＰＣ回路８のＤＡＣ値及びＬＤ４のＤＡＣ値を探索することで、所定のレーザー光のパワーを得ることができる。つまり、電圧信号１６，１０同士を同じになるように調整することは、微調整を行うことであって、本発明において必須要件ではない。
【００５５】
記録時及び再生時のそれぞれに関して適切なレーザー光パワーを設定することに限定されない。また、光ディスクの種類や環境温度の変化等の条件に応じて適切なレーザー光パワーを設定することに限定されない。本発明は、レーザー光パワーがある所定値に設定されたときの制御信号１５の値を指示するデータをＥＥＰＲＯＭ７に記憶しておき、光ピックアップユニット２と本体部１とを電気的に接続したときに、制御信号１１の値がＥＥＰＲＯＭ７に記憶されたデータが指示する値と同じになるようにＡＰＣ回路８のＤＡＣ値及びＬＤ４のＤＡＣ値を探索することで、実現される。つまり、上述の実施形態では制御信号１５の値を指示するデータの記憶及びＤＡＣ値の調整を様々な条件に適した複数種類のレーザー光パワーについて行っているが、少なくとも１種類のレーザー光パワーについて行えばよい。
【００５６】
上述の実施形態では光ピックアップユニット２内に設けられたＥＥＰＲＯＭ７に、調整治具２２を用いてキャリブレーションを行った際に得た制御信号１５及び電圧信号１６の値を指示するデータを格納しているが、これに限定されない。例えば、光ピックアップユニット２以外の部材内に制御信号１５及び電圧信号１６の値を指示するデータを格納する記憶手段を設けてよい。また、光ピックアップユニット２と本体部１とを接続してＤＡＣ値を探索し、探索したＤＡＣ値をＥＥＰＲＯＭ７に格納しているが、これに限定されず、例えばマイコン９のＲＯＭ等、光ピックアップユニット２以外の部材内にＤＡＣ値を格納してよい。
【図面の簡単な説明】
【００５７】
【図１】本発明の一実施形態に係る光ピックアップユニットと調整治具とを電気的に接続した状態を示すブロック図である。
【図２】図１の詳細図である。
【図３】光ピックアップユニットと調整治具とを電気的に接続してレーザー光パワーのキャリブレーションを行う際のフローチャートである。
【図４】光源に供給される電流と光源から出射されるレーザー光パワーとの関係の一例を示すグラフである。
【図５】本発明の一実施形態に係る光ピックアップユニットと本体部とを電気的に接続し、光学式記録再生装置を形成した状態を示すブロック図である。
【符号の説明】
【００５８】
１  本体部
２  光ピックアップユニット
３  光源
４  レーザードライバ（駆動信号生成手段）
５  フロントモニタフォトディテクタ（光検出手段）
６  Ｉ−Ｖアンプ（光検出手段）
７  ＥＥＰＲＯＭ（記憶部）
８  ＡＰＣ回路（本制御信号生成手段）
１４  ＡＰＣ回路（調整制御信号生成手段）
１５  制御信号
１６  電圧信号（電気信号）
２２  調整治具
５０  光学式記録再生装置
【図１】
2008097776.tif 000003
【図２】
2008097776.tif 000004
【図３】
2008097776.tif 000005
【図４】
2008097776.tif 000006
【図５】
2008097776.tif 000007